(57)【要約】【課題】構造が簡単であり、少ない部品点数で複数のマイクをフローティングして設置することができる指向性制御可能な収音装置を提供する。【解決手段】  収音装置１の筐体１１の上面には、同じ長さからなる３本の支柱１３Ａ〜支柱１３Ｃが、筐体１１の上面に対して垂直に設けられている。支柱１３Ａ〜支柱１３Ｃは、筐体１１の中心位置から等距離に、それぞれ１２０度間隔で均等に配置される。筐体１１の上面には、マイクを嵌め込むマイク枠体１４Ａ〜マイク枠体１４Ｃを設けた枠体４が配置されている。また、マイク枠体１４Ａ〜マイク枠体１４Ｃは、それぞれ、筐体１１の中心を通り外方向に引張応力が生じる状態で、弾性ゴム１５Ａ〜弾性ゴム１５Ｃにより、筐体１１の支柱１３Ａ〜支柱１３Ｃに連結される。【選択図】  図１
2010187099.tif 000002
【特許請求の範囲】
【請求項１】
複数のマイクロホンを筐体に取り付けた収音装置であって、
前記複数のマイクロホンを不動の一態様で一体的に固定設置する枠体と、
前記筐体の前記枠体側に、該枠体を囲むように設置された少なくとも３本の支柱と、
前記枠体と前記筐体とを離間した状態で、該枠体と前記少なくとも３本の支柱のそれぞれを連結する各弾性体と、
を備えた収音装置。
【請求項２】
前記枠体は、各マイクロホンの指向軸が互いに一致しないように、且つ一平面上に配置されるように、各マイクロホンをそれぞれに固定する複数のマイク枠体を備え、
前記複数のマイク枠体のそれぞれは、前記枠体の中心から放射方向へ延びるジョイント部を備え、
前記各弾性体は、各マイク枠体のジョイント部のそれぞれに取り付けられる請求項１に記載の収音装置。
【請求項３】
前記枠体は、前記複数のマイク枠体および前記ジョイント部が一体成型されている請求項１または請求項２に記載の収音装置。
【請求項４】
前記各弾性体は、無負荷の状態で、各支柱と前記ジョイント部との距離より短い長さを有する請求項１〜請求項３のいずれかに記載の収音装置。
【発明の詳細な説明】
【技術分野】
【０００１】
この発明は、複数のマイクロホンを備えた収音装置に関する。
【背景技術】
【０００２】
従来、マイクロホン（以下、マイクと称す。）を筐体に固定設置することなく揺動自在に（フローティングして）設置することで、ボタンの押下等により発生する筐体の振動の影響をマイクに伝達しないようにする収音装置が各種提案されている（例えば、特許文献１〜特許文献３参照。）。
【０００３】
特許文献１に記載のマイクロフォンユニットの保持構造は、磁性体を用いて、マイクユニットをフローティングさせている。
【０００４】
また、特許文献２に記載のエレクトレットコンデンサマイクロホンは、マイクユニットの配線端子をコイルや弾性体を用いて接触させることで、マイクユニットをフローティングさせている。
【０００５】
さらに、特許文献３に記載の機器内蔵型マイクロホン装置は、複数のマイクが設置された基板の周囲を弾性体で囲み、フローティングさせている。
【先行技術文献】
【特許文献】
【０００６】
【特許文献１】特許第３８９６５４６号公報
【特許文献２】特許第３３３１３１２号公報
【特許文献３】特開２０００−００４４９４号公報
【発明の概要】
【発明が解決しようとする課題】
【０００７】
しかし、特許文献１に記載のマイクロフォンユニットの保持構造は、マイクの振動板が磁力の影響を受ける素材で作られていた場合、磁性体によってマイクの特性が変化してしまう恐れがあった。
【０００８】
また、特許文献２に記載のエレクトレットコンデンサマイクロホンは、構造が複雑であり、弾性体が経年劣化して、マイクユニットの配線端子が接触不良になる恐れがあった。
【０００９】
さらに、特許文献３に記載の機器内蔵型マイクロホン装置は、複数のマイクを設置した基板の周囲全体を弾性体で囲むため、コストがかかるといった問題があった。
【００１０】
そこで、この発明は、構造が簡単であり、少ない部品点数でマイクをフローティングさせて設置することができる収音装置を提供することを目的とする。
【課題を解決するための手段】
【００１１】
この発明の収音装置は、複数のマイクを動かないように固定設置した枠体を、筐体に取り付けている。筐体は、筐体の中心に枠体を配置し、枠体の周囲に３本以上の支柱を設置している。また、収音装置は、弾性体を用いて枠体を各支柱と連結するため、枠体が筐体に固定設置されることなく、筐体から離れた状態で揺動自在に（フローティングして）設置されている。具体的に例えば、枠体は、各マイクをそれぞれ固定する複数のマイク枠体を備える。この際、各マイク枠体は、それぞれ、各マイクの指向軸が一致しないように、且つ、一平面上に配置されるように、マイクを固定している。そして、収音装置は、各マイク枠体にジョイント部を設け、ジョイント部にそれぞれ弾性体を取り付ける構成としてもよい。
【００１２】
これにより、枠体に設置した複数のマイクは、それぞれ並進や回転しないように筐体に固定されるため、各マイクの収音指向性軸方向がぶれない。この結果、収音装置は、収音性能を劣化させずに、枠体の周囲全体を弾性体で囲むよりも簡単な構造、且つ少ない部品点数で複数のマイクをフローティングさせながら設置することができる。なお、複数のマイクが並進しないとは、これらのマイクが筐体の上面に対して平行に移動しないことを意味する。
【００１３】
さらに、この発明の収音装置の枠体は、複数のマイク枠体とジョイント部とを一体成型した構成としてもよい。
【００１４】
収音装置の枠体は、複数のマイク枠体、ジョイント部等のパーツが個別に成型された後に、組み立てた構造であれば、パーツ間で別の振動が生じてしまう。しかし、この構成を用いれば、枠体は、各パーツが一体形成されるため、このような振動が生じない。このため、マイクへの振動を最小限に抑えることができる。
【００１５】
加えて、この発明の収音装置は、無負荷の状態で、支柱とジョイント部との距離より短い長さの弾性体を用いる構成としてもよい。
【００１６】
これにより、収音装置は、引張応力が生じる状態で、支柱と枠体とを取り付けるため、枠体を均等な力で引っ張って取り付けることができる。
【発明の効果】
【００１７】
この発明によれば、収音装置は、収音性能を劣化させずに、少ない部品点数で複数のマイクをフローティングして設置することができる。
【図面の簡単な説明】
【００１８】
【図１】収音装置の正面図である。
【図２】収音装置の背面図である。
【図３】収音装置の左側面図である。
【図４】収音装置の平面図である。
【図５】筐体の外観を示す外観図である。
【図６】枠体の外観を示す外観図である。
【図７】弾性ゴムの外観を示す外観図である。
【図８】枠体の取り付け方法の説明図である。
【図９】収音装置の音声信号処理系統の構成を示すブロック図である。
【発明を実施するための形態】
【００１９】
まず、本実施形態の収音装置の外観を説明する。図１〜図４は、本実施形態の収音装置の構成を示す外観図である。図１は正面図、図２は背面図、図３は左側面図、図４は平面図である。図１〜図４において、収音装置の右側面方向を＋Ｘ、左側面方向を−Ｘ、上面方向を＋Ｙ、下面方向を−Ｙ、正面方向を＋Ｚ、背面方向を−Ｚとする。
【００２０】
図１〜図３に示すように、収音装置１は、土台となる平板状の筐体１１、複数のマイクを一体固定する枠体４、枠体４を筐体１１と連結する弾性ゴム１５Ａ、弾性ゴム１５Ｂ、および弾性ゴム１５Ｃから構成される。筐体１１の上面には、同じ長さからなる３本の支柱１３Ａ、支柱１３Ｂ、および支柱１３Ｃが、筐体１１上面に対して垂直に設けられている。筐体１１と支柱１３Ａ〜支柱１３Ｃとは、例えば樹脂材質により一体成型されている。筐体１１と支柱１３Ａ〜支柱１３Ｃとは、別パーツで構成されると筐体１１と支柱１３Ａ〜支柱１３Ｃとの間で振動が伝搬する際に当該パーツ間でさらなる別の振動が生じてしまうが、一体成型されることで、このような振動を生じさせることがない。
【００２１】
図４の平面図に示すように、支柱１３Ａ、支柱１３Ｂ、および支柱１３Ｃは、筐体１１の中心位置から等距離に、それぞれ１２０度間隔で均等に配置される。支柱１３Ａが筐体１１の中心から装置正面方向（＋Ｚ方向）の位置に取り付けられているとすると、支柱１３Ｂは、筐体１１の中心から装置右背面方向（＋Ｘ，−Ｚ方向）の位置に取り付けられ、支柱１３Ｃは、筐体１１の中心から装置左背面方向（−Ｘ，−Ｚ方向）の位置に取り付けられている。
【００２２】
図１〜図４に示すように、筐体１１の上面に配置されている枠体４は、マイク枠体１４Ａ、マイク枠体１４Ｂ、およびマイク枠体１４Ｃと、マイク枠体１４Ａ、マイク枠体１４Ｂ、およびマイク枠体１４Ｃの下部にそれぞれ設けられたジョイント部１４１Ａ、ジョイント部１４１Ｂ、およびジョイント部１４１Ｃと、からなる。これらのパーツは、一体成型により形成されている。枠体４も、上記各マイク枠体、およびジョイント部等のパーツが個別成型された後に組みつけられた構造であると、パーツ間でさらなる別の振動が生じてしまうが、一体成型されているため、このような振動を生じさせることがない。
【００２３】
図４の平面図に示すように、枠体４は、収音装置１を平面視した状態において、マイク枠体１４Ａ、マイク枠体１４Ｂ、およびマイク枠体１４Ｃが同一円周上に等角度間隔に（１２０度間隔で均等に）設けられた構造である。
【００２４】
これらのマイク枠体１４Ａ、マイク枠体１４Ｂ、およびマイク枠体１４Ｃは、円筒形状からなり、その中空内部に円柱形状のマイク（単一指向性マイク）が嵌め込まれる。枠体４は、これらのマイク枠体に嵌め込まれる３つのマイクを１つのユニットとして一体固定している。
【００２５】
また、マイク枠体１４Ａ、マイク枠体１４Ｂ、およびマイク枠体１４Ｃは、枠体４の中心と反対側端部に、それぞれ放射方向に突出する形状のジョイント部１４１Ａ、ジョイント部１４１Ｂ、およびジョイント部１４１Ｃが形成されている。ジョイント部１４１Ａ、ジョイント部１４１Ｂ、およびジョイント部１４１Ｃは、それぞれ平板状の弾性ゴム１５Ａ、弾性ゴム１５Ｂ、弾性ゴム１５Ｃにより、筐体１１の支柱１３Ａ、支柱１３Ｂ、および支柱１３Ｃに連結される。
【００２６】
これらの弾性ゴム１５Ａ、弾性ゴム１５Ｂ、および弾性ゴム１５Ｃは、それぞれ弾性率が等しく、無負荷の状態で、支柱とジョイント部との距離より短い長さからなる。そして、弾性ゴム１５Ａは、筐体１１の中心を通り放射方向に引張応力が生じる状態で、支柱１３Ａとジョイント部１４１Ａとを連結する。同様に、弾性ゴム１５Ｂは、筐体１１の中心を通り放射方向に引張応力が生じる状態で、支柱１３Ｂとジョイント部１４１Ｂとを連結する。また、弾性ゴム１５Ｃは、筐体１１の中心を通り放射方向に引張応力が生じる状態で、支柱１３Ｃとジョイント部１４１Ｃとを連結する。
【００２７】
次に、筐体１１、枠体４、弾性ゴム１５Ａ〜弾性ゴム１５Ｃのより具体的な構造について図５〜図７を参照して説明する。
【００２８】
まず、筐体１１に設けられた支柱１３Ａ〜支柱１３Ｃの形状について、図５を参照して説明する。図５は、筐体の外観図である。図５（Ａ）は、筐体の斜視図であり、図５（Ｂ）は、筐体の一部拡大図である。以下、筐体１１に設けられた支柱１３Ａ〜支柱１３Ｃは、同じ形状であるため、支柱１３Ｂを例に挙げて説明する。
【００２９】
図５（Ｂ）に示すように、支柱１３Ｂは、本体部１３１Ｂ、取付部１３２Ｂ、および先端部１３３Ｂからなる。本体部１３１Ｂは、筐体１１の上面から垂直に突出する直方体形状からなり、先端に取付部１３２Ｂを設ける。取付部１３２Ｂは、本体部１３１Ｂより幅が狭い形状からなり、先端に先端部１３３Ｂを設ける。先端部１３３Ｂは、取付部１３２Ｂと同じ幅で、筐体１１の中心方向と反対方向に垂直に突出している形状からなる。
【００３０】
すなわち、図５（Ａ）に示すように、支柱１３Ａの先端部１３３Ａは、筐体１１の中心から装置正面方向（＋Ｚ方向）に突出している。また、支柱１３Ｂの先端部１３３Ｂは、筐体１１の中心から装置右背面方向（＋Ｘ，−Ｚ方向）に突出し、支柱１３Ｃの先端部１３３Ｃは、筐体１１の中心から装置左背面方向（−Ｘ，−Ｚ方向）に突出している。
【００３１】
次に、枠体４の形状について、図６を参照して説明する。図６は、枠体の外観を示す外観図である。図６（Ａ）は、枠体の斜視図であり、図６（Ｂ）は、枠体の一部拡大図である。
【００３２】
図６（Ａ）に示すように、枠体４は、上面方向から見て、枠体４の中心にマイク枠体１４Ａ〜マイク枠体１４Ｃの円筒の開放部分（マイク枠体の円周面と異なる面）を向けてマイク枠体１４Ａ、マイク枠体１４Ｂ、およびマイク枠体１４Ｃを設ける。具体的には、マイク枠体１４Ａの円筒の開放部分は、装置正面方向（＋Ｚ方向）および背面方向（−Ｚ方向）に向いている。マイク枠体１４Ｂの円筒の開放部分は、装置右背面方向（＋Ｘ，−Ｚ方向）および左正面方向（−Ｘ，＋Ｚ方向）に向き、マイク枠体１４Ｃの円筒の開放部分は、装置左背面方向（−Ｘ，−Ｚ方向）および右正面方向（＋Ｘ，＋Ｚ方向）に向いている。以上より、枠体４は、マイク枠体１４Ａ、マイク枠体１４Ｂ、およびマイク枠体１４Ｃにそれぞれ嵌め込む単一指向性マイクの指向軸が枠体４の中心点でクロスするように形成されている。
【００３３】
次に、マイク枠体１４Ａ、マイク枠体１４Ｂ、およびマイク枠体１４Ｃの形状について説明する。以下、マイク枠体１４Ａ〜マイク枠体１４Ｃは、同一の形状からなるため、マイク枠体１４Ｂを例に挙げて説明する。マイク枠体１４Ｂは、枠体４の上面方向から見て、枠体４の中心と反対側（すなわち、枠体４に対する最外端となる位置）に、ジョイント部１４１Ｂを設ける。この際、ジョイント部１４１Ｂは、枠体４の側面方向から見ると、下面方向側の一端（すなわち、枠体４に対する最下端となる位置）に配置される。なお、ジョイント部１４１Ｂは、マイク枠体１４Ｂの外周面に設けたが、マイク枠体１４Ｂの底面に設けてもよい。
【００３４】
ジョイント部１４１Ｂは、図６（Ｂ）に示すように、Ｔ字状からなり、円柱形状の軸部１４２Ｂと、軸部１４２Ｂより長さが長い円柱形状の取付部１４３Ｂと、を有する。軸部１４２Ｂは、マイク枠体１４Ｂの円筒の開放面に対して略垂直に延びるように形成され、先端に取付部１４３Ｂが設けられる。この際、取付部１４３Ｂは、長手方向の中心位置に軸部１４２Ｂの先端を接続するように形成されている。また、取付部１４３Ｂは、軸部１４２Ｂと垂直で、且つマイク枠体１４Ａ〜マイク枠体１４Ｃが配置された平面（ＸＺ平面）に平行となるように形成されている。
【００３５】
次に、弾性ゴム１５Ａ、弾性ゴム１５Ｂ、および弾性ゴム１５Ｃの形状について、図７を参照して説明する。図７は、弾性ゴムの外観を示す外観図である。図７（Ａ）は、平面図であり、図７（Ｂ）は、斜視図である。以下、弾性ゴム１５Ａ、弾性ゴム１５Ｂ、および弾性ゴム１５Ｃは、同一の形状からなるため、弾性ゴム１５Ａを例に挙げて説明する。
【００３６】
図７に示すように、弾性ゴム１５Ａは、平板状からなり、平面視した状態で、長手方向に沿って、円形状の頭部１５１Ａ、長方形状の首部１５２Ａ、角丸長方形状の本体部１５３Ａの順に形成される。頭部１５１Ａの直径は、首部１５２Ａの短手方向の長さより長く、本体部１５３Ａの短手方向の長さと等しい。さらに、本体部１５３Ａの長手方向と首部１５２Ａの長手方向とは一致する。
【００３７】
また、頭部１５１Ａには、頭部１５１Ａの中心と一致するように、平板を貫通する円形の開口部１５４Ａが形成され、同様に本体部１５３Ａには、長手方向の一端で且つ首部１５２Ａ側に円形状の開口部１５５Ａが形成される。開口部１５４Ａと開口部１５５Ａとは、直径が等しく、直線Ｌ上にそれぞれの中心が通るように形成される。
【００３８】
次に、筐体１１への枠体４の取り付け方法について、図４，図８を参照して説明する。図８は、枠体の筐体１１への取り付け方法を説明するための外観斜視図である。
【００３９】
まず、マイク枠体１４Ａ、マイク枠体１４Ｂ、およびマイク枠体１４Ｃに、それぞれマイク１２Ａ、マイク１２Ｂ、およびマイク１２Ｃを取り付ける。本実施形態では、図４の平面図に示すように、マイク枠体１４Ａには、単一指向性マイク１２Ａの感度極大の方向（最大感度方向）を装置背面方向（−Ｚ方向）に向けて嵌め込む。この単一指向性マイク１２Ａの最大感度方向を０度とする。また、マイク枠体１４Ｂには、単一指向性マイク１２Ｂの最大感度方向を装置左正面方向（−Ｘ，＋Ｚ方向）に向けて嵌め込む。すなわち、枠体４を上面方向から見て、上記０度から左回転１２０度の角度（＋１２０度の方向）に向けて嵌め込む。また、マイク枠体１４Ｃには、単一指向性マイク１２Ｃの最大感度方向を装置右正面方向（＋Ｘ，＋Ｚ方向）に向けて嵌め込む。すなわち、枠体４を上面方向から見て、上記０度から右回転１２０度の角度（−１２０度または＋２４０度の方向）に向けて嵌め込む。
【００４０】
そして、図８に示すように、枠体４のジョイント部１４１Ａ、ジョイント部１４１Ｂ、およびジョイント部１４１Ｃにそれぞれ弾性ゴム１５Ａ、弾性ゴム１５Ｂ、および弾性ゴム１５Ｃを取り付ける。例えば、弾性ゴム１５Ｂの頭部１５１Ｂの開口部１５４Ｂを、ジョイント部１４１Ｂの取付部１４３Ｂの一方の端から通した後に、開口部１５４Ｂを広げて、取付部１４３Ｂの他方の端から通すことで、軸部１４２Ｂに弾性ゴム１５Ｂの頭部１５１Ｂを取り付ける。この際、枠体４を上面方向から見て、弾性ゴム１５Ｂがジョイント部１４１Ｂの取付部１４３Ｂの上面側になるように、弾性ゴム１５Ｂを取り付けている。このように、各弾性ゴムが各ジョイント部の上側を通るように取り付けることで、各弾性ゴムが各ジョイント部の下側を通るように取り付けるよりも枠体４を筐体１１へ安定して設置することができる。
【００４１】
そして、弾性ゴム１５Ａ、弾性ゴム１５Ｂ、および弾性ゴム１５Ｃをそれぞれ筐体１１の支柱１３Ａ、支柱１３Ｂ、および支柱１３Ｃに取り付ける。具体的には、上面方向から見て、枠体４の中心と筐体１１の中心とが一致するように、枠体４を筐体１１の上面に配置する。そして、例えば、弾性ゴム１５Ｂの本体部１５３Ｂを引っ張ることで、当該本体部１５３Ｂの開口部１５５Ｂを、支柱１３Ｂの先端部１３３Ｂから通して、取付部１３２Ｂに取り付ける。
【００４２】
以上より、枠体４は、収音装置１を平面視した状態において、筐体１１に設けた支柱１３Ａ〜支柱１３Ｃに囲われた領域内で、且つ枠体４自身の中心と筐体１１の中心とが一致するように配置される。また、枠体４は、ジョイント部１４１Ａ〜ジョイント部１４１Ｃが、筐体１１の中心から支柱１３Ａ〜支柱１３Ｃへそれぞれ延ばした線上で、且つ筐体１１の中心と各支柱との間に配置されるように、筐体１１上に配置される。そして、枠体４は、弾性ゴム１５Ａ〜弾性ゴム１５Ｃに引張応力が生じている状態で、筐体１１に取り付けられる。
【００４３】
この構造により、枠体４は、上述のように、支柱１３Ａ〜支柱１３Ｃと弾性ゴム１５Ａ〜弾性ゴム１５Ｃとにより、枠体４の中心を基準点として等角度間隔となる３方向（筐体１１の中心から支柱１３Ａ〜支柱１３Ｃのそれぞれに向かう方向）に同一の力で引っ張られるため、筐体１１の上面の特定位置に搖動可能に設置される。この際、支柱１３Ａ〜支柱１３Ｃと弾性ゴム１５Ａ〜弾性ゴム１５Ｃとをかける高さが同じであるため、ジョイント部１４１Ａ〜ジョイント部１４１Ｃが同じ水平面となる。これにより、枠体４の底面は、筐体１１の上面に平行になるように設置される。
【００４４】
このため、マイク枠体に嵌め込まれる４つのマイクは、筐体１１の上面で、それぞれ並進や回転しないように設置されるため、収音指向性軸方向がぶれない。ここで、４つのマイクが並進しないとは、枠体４が筐体１１の上面に対して平行に移動しないことから、枠体４で固定された４つのマイクについても、筐体１１の上面に対して平行に移動しないことを言う。この結果、収音装置１は、収音性能を劣化させずに、簡単な構造、且つ少ない部品点数（枠体、３本の支柱、及び３つの弾性ゴム）で４つのマイクを固定することができる。
【００４５】
また、上記構造では、引張応力が生じる状態で弾性ゴムを用いて支柱に枠体４を取り付けるため、枠体４に一体固定された４つのマイクは、筐体１１に固定設置されることなく揺動自在に（フローティングして）設置される。これにより、４つのマイクは、筐体１１の振動を弾性ゴム１５Ａ〜弾性ゴム１５Ｃにより減衰されるため、筐体１１の振動によるマイクの収音ノイズ等を抑制することができる。
【００４６】
なお、上記構造では、１つの平面（筐体上面と平行する面）上に単一指向性マイク１２Ａ、単一指向性マイク１２Ｂ、および単一指向性マイク１２Ｃが配置される。各単一指向性マイクの最大感度方向が配列の内側方向に向けられる。すなわち、上記指向軸がクロスする点を中心とした円周上に各単一指向性マイクが内向きに配列される。このように、各マイクの最大感度方向を配列の内側方向に向けることで、外側に向けるよりも振動面を近接させて配置することができる。その結果、各単一指向性マイクの振動面の位置を上記指向軸がクロスする点で近似することができる。よって、上記平面上における指向性制御を１ｋＨｚ以上のような高い周波数帯域においても小さな誤差で実現することができる。
【００４７】
ところで、上述の構造の収音装置は、次に示す方法により、収音指向性制御を行う。収音装置１の指向性制御について、図９，１０を用いて説明する。図９（Ａ）は、収音装置の音声信号処理系統の構成を示すブロック図である。
【００４８】
図９（Ａ）に示すように、収音装置１は、信号処理系統の構成として、ゲイン調整部３１Ａ、ゲイン調整部３１Ｂ、ゲイン調整部３１Ｃ、および加算部３２からなる信号処理部３を備えている。各単一指向性マイクが出力する音声信号は、信号処理部３の各ゲイン調整部でゲイン調整され、その後、加算部３２で加算される。収音装置１は、各ゲイン調整部のゲインを制御することで、装置周囲に任意の指向性を形成することができる。
【００４９】
なお、各単一指向性マイクの上記の配列態様は、上記の例に限るものではない。例えば、図９（Ｂ）に示すような配列態様でもよい。図９（Ｂ）は、単一指向性マイク１２Ｂおよび単一指向性マイク１２Ｃを対向させる配列の例を示している。この場合、単一指向性マイク１２Ｂの最大感度方向は、装置左面方向（θ＝９０度の方向）であり、単一指向性マイク１２Ｃの最大感度方向は、装置右面方向（θ＝−９０度の方向）である。このように、単一指向性マイク１２Ｂおよび単一指向性マイク１２Ｃを対向させる場合であっても、任意の方向に指向性を形成することができる。
【００５０】
以上のように、１つの平面に３つ以上の複数の単一指向性マイクを配列する態様であれば、どのような配列態様であっても本発明の収音装置を実現することが可能である。
【００５１】
なお、上記の例では、同一平面上に３つのマイクを配列する例について説明したが、無論、同一平面上にさらに多数のマイクを配列するようにしてもよい。また、同一平面に対して垂直方向の単一指向性マイクを備えていてもよい。
【００５２】
また、上記の例では、３本の支柱を備えたが、支柱の本数は３本以上であればよい。また、各支柱は、それぞれマイク枠体のジョイント部と連結されればよいため、マイクの数に応じて設ければよい。マイク枠体のジョイント部毎に支柱を設けることで、マイクへの振動を最も少なくすることができる。
【００５３】
さらに、上記の例では、平板状の筐体１１の上面にマイクを備えた収音装置について説明したが、筐体１１がエンクロージャとなり、筐体１１の内部にスピーカを備え、当該エンクロージャとなる放収音装置であってもよい。この場合、放音によるスピーカの振動による影響をマイクが受けないため、単に外部から筐体１１に与えられる振動のみではなく、スピーカの放音に起因する振動のマイクへの伝搬の抑制でき、エコーの発生を防ぐことができる。
【００５４】
加えて、上記の例では、枠体４を上面方向から見て、各弾性ゴムがそれぞれジョイント部の上になるように取り付けたが、各弾性ゴムがそれぞれジョイント部の下になるように取り付けてもよい。
【００５５】
また、支柱とジョイント部との連結は、弾性ゴムに限らず、板バネ等の弾性体であってもよい。
【符号の説明】
【００５６】
１…収音装置，１１…筐体，１２Ａ〜１２Ｃ…単一指向性マイク，１３Ａ〜１３Ｃ…支柱，４…枠体，１４Ａ〜１４Ｃ…マイク枠体，１４１Ａ〜１４１Ｃ…ジョイント部，１５Ａ〜１５Ｃ…弾性ゴム，３…信号処理部，３１Ａ〜３１Ｃ…ゲイン調整部，３２…加算部
【図１】
2010187099.tif 000003
【図２】
2010187099.tif 000004
【図３】
2010187099.tif 000005
【図４】
2010187099.tif 000006
【図５】
2010187099.tif 000007
【図６】
2010187099.tif 000008
【図７】
2010187099.tif 000009
【図８】
2010187099.tif 000010
【図９】
2010187099.tif 000011